(57)【要約】【課題】第１通信方式を選択して接続する第１通信網から第２通信方式を選択して接続する第２通信網への切り換えを、上位コンピュータを利用せず、しかも最低限の回数にすることができる携帯無線通信端末を提供する。【解決手段】この発明に係る携帯無線通信端末５００は、複数の通信方式で信号を送受信できる送受信機５１０、上記複数の通信方式のうち、いずれかの通信方式を選択して、上記送受信機５１０を制御する送受信機制御部５２０、入力される地域データに基づいて上記送受信機制御部５２０で選択する通信方式を切り替える切換制御部５４０から構成したものである。【選択図】  図３
2005026735.tif 000002
【特許請求の範囲】
【請求項１】
複数の通信方式で信号を送受信できる送受信機、
上記複数の通信方式のうち、いずれかの通信方式を選択して、上記送受信機を制御する送受信機制御部、
入力される地域データに基づいて、上記送受信機制御部で選択する通信方式を切り替える切換制御部を備えることを特徴とする携帯無線通信端末。
【請求項２】
請求項１記載の携帯無線通信端末において、
ＧＰＳ衛星から受信した測位用信号に基づいて地域データを導出する地域データ出力手段を備え、
切換制御部は、上記地域データ出力手段の導出した地域データに基づいて、上記送受信機制御部で選択する通信方式を切り替えることを特徴とする携帯無線通信端末。
【請求項３】
請求項１又は２記載の携帯無線通信端末において、
上記切換制御部は、
地域データ毎に、通信方式を示す通信方式データを、予め定めた優先度と共に複数対応させて記憶する記憶装置、
地域データに対応する通信方式データを上記記憶装置から優先度に従って読み出す読出手段を備え、
この読出手段で読み出された通信方式データによって、上記送受信機制御部で選択する通信方式を切り換えることを特徴とする携帯無線通信端末。
【請求項４】
請求項３記載の携帯無線通信端末において、
通信網を介して接続されるサーバから、地域データ、通信方式データ及び優先度データの一部または全部をダウンロードするダウンロード手段、
上記記憶装置に記憶されているデータを、上記ダウンロード手段でダウンロードされたデータに書き換える書換手段を備えることを特徴とする携帯無線通信端末。
【請求項５】
地域データ毎に、通信方式を示す通信方式データを予め定めた優先度と共に複数対応させて記憶することを特徴とする記憶装置。
【発明の詳細な説明】
【０００１】
【発明の属する技術分野】
この発明は、複数の通信方式を選択できる携帯無線通信端末に関し、特に、第１通信方式を選択して接続する第１通信網から第２通信方式を選択して接続する第２通信網に接続先を切り換える場合に、上位コンピュータを利用せずに切り換えられる携帯無線通信端末に関する。
【０００２】
【従来の技術】
近年、契約する通信事業者（以下、「ホーム通信事業者」という）が提供する通信網（以下、「ホーム通信網」という）及びホーム通信事業者と異なる通信事業者（以下、「ローミング先通信事業者」という）が提供する通信網（以下、「ローミング先通信網」という）の両通信網で移動局を使用可能にするローミングサービスが普及してきている。
【０００３】
しかし、ホーム通信網とローミング先通信網とは、共通の上位コンピュータで制御されていないことが一般的である。そのため、ホーム通信網の上位コンピュータからローミング先通信網への切り換え指示を受けることができない。また、ローミング先通信網へ接続するには、ホーム通信網の通信方式と異なる通信方式を用いることが多いため、第１通信方式を選択してホーム通信網に接続している場合に、第２通信方式を選択してローミング先通信網へ接続先を切り換える機能が必要となる。
【０００４】
従来、第１通信方式のホーム通信網から第２通信方式のローミング先通信網へ上位コンピュータを利用せずに切り換えられる移動局として、下記特許文献１に記載された技術があった。
【０００５】
従来技術に記載された移動局は、ローミング先通信網に接続され、信号を待ち受けている状態で、ホーム通信網内に利用可能な基地局があるか否かを定期的に探すホームスキャン手段を備えており、ホーム通信網内に利用可能な基地局があった場合に、ローミング先通信網からホーム通信網に接続先を切り換えるものである。なお、ホームスキャン手段は、ホーム通信網内の各基地局が発する信号を受信し、この受信レベルが予め定める所定閾値以上の場合に、ホーム通信網内に利用可能な基地局があることを検出するものである。
【特許文献１】
特開２０００−１６５９４５号公報
【０００６】
【発明が解決しようとする課題】
しかし、従来技術の移動局は、予め定める切り換え先の通信網（ホーム通信網）内の基地局から飛来する信号の受信レベルが所定閾値以上となった場合に、接続先を切り換えるものであるため、切り換え前に接続している通信網（ローミング先通信網）の通信状態が良好であるか否かは考慮されていない。したがって、ローミング先通信網及びホーム通信網のどちらでも接続できる地域において、ローミング先通信網に接続しつづけていれば良好な通信状態を維持できるにも関わらず、ホーム通信網の通信状態の変化に応じて接続する通信網が切り換わる場合がある。この場合のように、不要に接続先を切り換えることによって、通信状態が劣化する恐れがある。
【０００７】
そこで、この発明は、第１通信方式を選択して接続する第１通信網から第２通信方式を選択して接続する第２通信網への切り換えを、上位コンピュータを利用せず、しかも最低限の回数にすることができる携帯無線通信端末を提供することを目的にする。
【０００８】
【課題を解決するための手段】
この発明に係る携帯無線通信端末は、複数の通信方式で信号を送受信できる送受信機、上記複数の通信方式のうち、いずれかの通信方式を選択して、上記送受信機を制御する送受信機制御部、入力される地域データに基づいて上記送受信機制御部で選択する通信方式を切り替える切換制御部から構成したものである。
【０００９】
また別の発明に係る記憶装置は、地域データ毎に、通信方式を示す通信方式データを予め定めた優先度と共に複数対応させて記憶するようにしたものである。
【００１０】
【発明の実施の形態】
実施の形態１．
以下、実施の形態１に係る携帯電話機、及びこの携帯電話機が用いられる通信システムの構成について図１〜６に基づいて説明する。図１はこの実施の形態１における通信システムを示す構成図、図２は実施の形態１に係る携帯電話機が選択する通信事業者、通信方式を示す図、図３は実施の形態１に係る携帯電話機の構成を示すブロック図、図４、５はローミンググループの選択方法を説明するための図、図６は実施の形態１に係る携帯電話機に設けられる記憶装置のテーブルを示す図である。
【００１１】
図１において、携帯電話機５００のユーザは、契約した通信事業者（ホーム通信事業者）Ａが提供するサービスエリア（以下、「ホームエリア」という）１００で通信サービスの提供を受けることができる。また、携帯電話機５００のユーザは、ホームエリア１００以外のエリアでも、ホーム通信事業者Ａと異なる通信事業者であってホーム事業者と提携関係にある通信事業者（ローミング先通信事業者）Ｂ、Ｃ、Ｄが提供するサービスエリア（以下、「ローミング先エリア」という）２００、３００、４００においても、通信サービスの提供を受けることができる。
【００１２】
なお、この実施の形態１では、図２に示すように、携帯電話機５００は、基本方式はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）であって使用周波数帯は周波数帯アである通信方式１によって、ホームエリア１００及びローミング先エリア２００に接続できる。また、携帯電話機５００は、基本方式はＧＳＭ（Ｇｒｏｂａｌ  Ｓｙｓｔｅｍ  ｆｏｒ  Ｍｏｂｉｌｅ  ｃｏｍｍｕｎｉｃａｔｉｏｎｓ）であって使用周波数帯は周波数帯イである通信方式２及び基本方式はＧＳＭであって使用周波数帯は周波数帯ウである通信方式３によって、ローミング先エリア３００に接続できる。さらに、携帯電話機５００は、基本方式はＧＰＲＳ（Ｇｅｎｅｒａｌ  Ｐａｃｋｅｔ  Ｒａｄｉｏ  Ｓｅｒｖｉｃｅ）であって使用周波数帯は周波数帯エである通信方式４及び基本方式はＧＰＲＳであって使用周波数帯は周波数帯オである通信方式５によって、ローミング先エリア４００に接続できる。
【００１３】
図３は、携帯電話機５００の構成を示すブロック図であり、複数の通信方式１〜５で信号を送受信できる送受信機５１０、通信方式１〜５のうちいずれかの通信方式を選択して送受信機５１０を制御する送受信機制御部５２０、ＧＰＳ衛星７００から受信した測位用信号に基づいて、携帯電話機５００が位置する緯度経度を示す緯度経度データ（地域データ）を導出する地域データ出力手段５３０、地域データ出力手段５３０から出力された緯度経度データに基づいて、上記送受信機制御部５２０で選択する通信方式を切り替える切換制御部５４０、送受信機５１０で受信した信号を送受信機制御部５２０を介して取得し、受信電界レベルを検出する電界レベル検出部５５０、切換制御部５４０によって制御される表示部５６０、通信方式１〜５で最適に通信できるように送受信機５１０に取り付けられたアンテナ５１２、ＧＰＳ衛星７００と良好に通信できるように地域データ出力手段５３０に取り付けられたアンテナ５３２を備える。
【００１４】
切換制御部５４０は、緯度経度データ毎に、通信方式１〜５のいずれかを示す通信方式データを、予め定めた優先度と共に複数対応させて記憶する記憶装置５４２、地域データ出力手段５３０の導出した緯度経度データに対応する通信方式データを記憶装置５４２から優先度に従って読み出す読出手段５４４を備え、この読出手段５４４で読み出された通信方式データによって、上記送受信機制御部５２０で用いる通信方式を切り換える。
【００１５】
記憶装置５４２が記憶するテーブルを図４〜６に基づいて説明する。
ローミング先エリア２００、３００または４００は（ａ＋１）個の経度と（ｂ＋１）個の緯度によってａ×ｂ個の所定領域Ｓに区切られ、任意の所定領域Ｓｍｎは、（ｍ−１）番目の経度からｍ番目の経度までの経度範囲Ｘｍ−１〜Ｘｍおよび（ｎ−１）番目の緯度からｎ番目の緯度までの緯度範囲Ｙｎ−１〜Ｙｎを有する。また、図６に示すように各領域Ｓ毎に、通信事業者を示す通信事業者データ、基本方式を示す基本方式データ、周波数を示す周波数データ（以下、基本方式データと周波数データとを併せて「通信方式データ」という）、この通信方式データに対応した優先度（以下、通信事業者データ、通信方式データ、優先度を併せてローミンググループという）が対応している。なお、ａ、ｂ、ｍ、ｎは任意の自然数である。
【００１６】
ローミング先エリアの一部を図５、図６に基づいて具体的に説明する。ローミング先エリアの一部は、所定緯度Ｙ０〜Ｙ３および経度Ｘ０〜Ｘ３によって、９個の領域Ｓ１１〜Ｓ３３に区切られ、各領域毎に、ローミンググループ１〜９のいずれかが設定されている。
【００１７】
また、ローミンググループ１は、携帯電話機５００が最先に選択すべきデータとしてローミング先事業者Ｂ、通信方式１（基本方式ＵＭＴＳ、周波数帯ア）を関連させ、２番目に選択すべきデータとして、ローミング先事業者Ｄ、通信方式４（基本方式ＧＰＲＳ、周波数帯エ）を関連させ、３番目に選択すべきデータとしてローミング先事業者Ｃ、通信方式２（基本方式ＧＳＭ、周波数帯イ）を関連させている。なお、ローミンググループ２〜９についても、図６に示すとおり、夫々優先度、通信事業者、通信方式を関連させているが、これらのデータの具体的内容は、実施の形態１で提示する効果との関係が少ないので説明を省略する。
【００１８】
次に、実施の形態１の携帯電話機５００の動作を図７、８に基づいて説明する。また、図５、６で示した領域Ｓ１１〜Ｓ３３、ローミンググループ１〜９の範囲に基づいて説明する。
図７、８は、携帯電話機５００の動作を示すフローチャート図である。
ステップＳ１０では、携帯電話機５００が、着呼信号を待受けている状態で、接続している基地局から受信する信号について、定期的に電界強度を測定する。この測定結果が所定閾値を上回っているとき、携帯電話機５００は接続する基地局を切り換えることなく、待受状態を維持する。一方、測定結果が所定閾値以下であるとき、携帯電話機５００の動作はステップＳ２０に進む。
【００１９】
ステップＳ２０では、携帯電話機５００が選択している通信方式で接続できる基地局の中に、電界レベルが所定レベル以上になる基地局（以下、「所定基地局」という）があるか否かを判断する。この判断結果が、所定基地局が１つもないことを示す場合は通信方式の切り換えが必要と判断してステップＳ３０に進み、所定基地局が１つ以上あることを検出した場合はステップＳ４０に進む。
【００２０】
ステップＳ３０では、携帯電話機５００が選択する通信方式等を切り換える。なお、ここでは、通信方式並びに通信方式及び通信事業者を切り換えることにしているが、同一の通信事業者内で通信方式のみを切り換える必要が生じた場合は、上位コンピュータからの指令に基づいて切り換える構成にしてもよい。このステップが終了すると携帯電話機５００の動作はステップＳ１０に進む。ステップＳ３０の詳細な内容は後述する。
【００２１】
ステップＳ４０では、携帯電話機５００が新しい基地局と通信回線を確立する。このステップが終了するとステップＳ１０に進む。
【００２２】
次に、ステップ３０の詳細について図８に基づいて説明する。ステップＳ３０はステップＳ３１〜Ｓ３９を有する。ステップＳ３１では、ステップＳ２０で通信方式の切り換えが必要となった場合に、地域データ出力手段５３０がＧＰＳ衛星７００から測位用信号を受信し、この受信結果に基づいて算出した緯度経度データを切換制御部５４０に入力する。
【００２３】
なお、ここでは、通信方式の切り換えが必要となった時に、地域データ出力手段５３０がＧＰＳ衛星７００から測位用信号を受信することにしている。しかし、地域データ出力手段５３０がＧＰＳ衛星７００から測位用信号を定期的に受信して緯度経度データを算出しておき、切換制御部５４０が緯度経度データを要求した時点で、ＧＰＳ衛星７００にアクセスすることなく地域データ出力手段５３０から最新の緯度経度データを送信する構成にしても良い。この構成によれば、より迅速に通信方式の切り替えを決定することができる。
【００２４】
また、通信状態が不良になるであろう時期を予め予測しておき、この予測時期より所定時間前の時期にのみ地域データ出力手段５３０がＧＰＳ衛星７００から測位用信号を受信し、この受信結果に基づいて緯度経度データを算出する構成にしても良い。この構成によれば、地域データ出力手段５３０は定期的にＧＰＳ衛星７００にアクセスする必要がないので、より消費電力を節約することができる。
【００２５】
ステップＳ３２では、切換制御部５４０が、地域データ出力手段５３０から受信した緯度経度データが、記憶装置５４２に記憶されている領域Ｓ１１〜Ｓ３３のいずれの範囲に属しているかを判定する。この判定結果に基づき、切換制御部５４０は、ローミンググループ１〜９のいずれか１つを選択してステップＳ３３に進む。
【００２６】
ステップＳ３３では、切換制御部５４０は、記憶装置５４２内の、携帯電話機５００の現在選択している優先度（以下、「選択優先度」という）を記憶する領域（以下、「選択優先度記憶領域」という）に０を書き込み、ステップＳ３４に進む。
【００２７】
ステップＳ３４では、選択優先度記憶領域に記憶されている選択優先度を、この選択優先度に１を加算した優先度に更新する。そして、ステップＳ３５に進む。
【００２８】
ステップＳ３５では、選択優先度が、予め定める最大の優先度（実施の形態１において、最大の優先度は３）よりも小さいか否かを判定する。この判定結果によって、選択優先度は、最大優先度である３よりも小さいことが示された場合はステップＳ３６に進む。一方、選択優先度が最大優先度である３よりも大きいことが示された場合はステップＳ３９に進む。
【００２９】
ステップＳ３６では、読出手段５４４が、選択優先度に対応している通信事業者データ、通信方式データを、記憶装置５４２から読み出す。そして、切換制御部５４０は、送受信機制御部５２０の設定している通信事業者及び通信方式を、読み出されたデータが示す通信事業者及び通信方式に更新する。この更新の後、送受信機５１０が受信した受信信号の電界レベルを電界レベル検出部５５０で検出し、この検出結果が、所定の電界レベルを越えているか否かを切換制御部５４０で判定する（ステップＳ３７）。この判定結果が所定の閾値を越えていることを示す場合は、この通信事業者、通信方式を維持し、ステップＳ３８に進む。一方、判定結果が所定の閾値以下であることを示す場合は、ステップＳ３４に戻る。
【００３０】
ステップＳ３８では、携帯電話機５００が選択している通信事業者、通信方式で、新たに通信回線を確立する。以上の動作によって、通信事業者の切り替えステップＳ３０は完了し、図７で示すステップＳ１０に戻る。
【００３１】
ステップＳ３９では、切換制御部５４０が表示部５６０に、ローミング接続不能である旨を表示させる。ステップＳ３９が終了すると、通信事業者、通信方式の切り換えステップＳ３０は終了し、図７で示すステップＳ１０に戻る。
【００３２】
なお、以上の動作に基づくと、携帯電話機５００は、接続している基地局での受信レベルが低下した後、早期に受信レベルが回復する。したがって、新たに選択する通信方式を決定するまでの間に、基地局からの呼出信号に応じることができなくなる恐れが少ない。
【００３３】
その根拠を図９に基づいて説明する。図９（ａ）は、接続している基地局との通信状態が劣化した後に、通信方式を、無作為に切り換えるようにした携帯電話機５００ａの動作を示す。図９（ｂ）は、この実施の形態１に係る携帯電話機５００の動作を示す。
【００３４】
図９（ａ）に示す通り、携帯電話機５００ａは、通信状態が劣化してから良好な通信状態に復帰するまでに要する時間が長い。携帯電話機５００ａは、まず、通信可能状態から通信不能状態になり、所定の通信方式を選択して呼出信号を待ち受けている状態で、電界レベルの低下を検出したとする（Ｓ６０）。この場合、選択している通信方式で接続できる基地局の中に電界レベルを改善する基地局が有るか否かを判定する（Ｓ６１）。この判定結果が、この通信方式で接続できる基地局の中に電界レベルを改善する基地局がないことを示した場合（Ｓ６２）、選択する通信方式を無作為に選択した他の通信方式に切り換える（Ｓ６３）。
【００３５】
そして、この切り換えによって接続することになった基地局から信号を受信する（Ｓ６４）。そして、この受信信号の電界レベルを測定し（Ｓ６５）、測定結果が所定閾値未満であることを示した場合（Ｓ６６）、携帯電話機５００ａは、選択している通信方式に異なる通信方式を再度無作為に選んで切り換える（Ｓ６７）。この図においてはこの切り換えによって通信可能状態に改善したものとする。すると、以降、携帯電話機５００ａは、選択している通信方式で接続できる基地局のいずれかから信号を受信する（Ｓ６８）。この受信結果について携帯電話機５００ａは電界レベルを測定し（Ｓ６９）、この測定結果が所定閾値以上であることを示した場合には（Ｓ７０）、携帯電話機５００ａは通信方式の切り替えを終了する。
【００３６】
なお、ここでは、説明の簡単のために、通信方式を２度切り換えた状態で通信状態が良好になったものと仮定して説明したが、切り換えが無作為である以上、実際にはさらに切り換えに時間を要するものと考えられる。また、切り換え候補となる通信方式が多数あれば、その数が増加すればするほど、適切な通信方式に切り替えられるまでに要する時間が増加すると考えられる。
【００３７】
一方、図９（ｂ）において、まず、携帯電話機５００が、所定の通信方式を選択して呼出信号を待ち受けている状態において、通信可能状態から通信不能状態となり、電界レベルの低下を検出する（Ｓ７２）。この場合、携帯電話機５００は、選択している通信方式で接続できる基地局の中に電界レベルを改善する基地局があるか否かを判定する（Ｓ７３）。この判定結果が、改善する基地局はない旨を示したとき（Ｓ７４）、携帯電話機５００は、選択する通信方式を優先度１の通信方式に切り換える（Ｓ７５）。
【００３８】
また、携帯電話機５００での通信方式の切り替えは、予め設定されている優先度に従うものであるので、１度目の切り換えによって通信状態が良好になる可能性が高い。したがって、携帯電話機５００は、切り換える通信方式を決定するまでに要する時間が短い。すなわち、携帯電話機５００は、通信不能状態が短くなり、呼出信号に応答できない可能性は低くなる。なお、携帯電話機５００において、１度目の切り換えによって通信状態が良好になる可能性は、優先度の精度が高まるに連れてますます高くなる。また、携帯電話機５００と５００ａとの間において、切り換える通信方式を決定するのに要する時間の差は、携帯電話機が選択できる通信方式が増加すればするほど著しいものになる。
【００３９】
なお、通信可能状態になった後の携帯電話機５００の動作Ｓ７６〜Ｓ７９は、携帯電話機５００ａの動作Ｓ６８〜Ｓ７１と同様であるので説明を省略する。
【００４０】
このように、実施の形態１によれば、第１通信方式を選択して接続する第１通信網から第２通信方式を選択して接続する第２通信網への切り換えを、上位コンピュータを利用せず、しかも、最低限の回数にできる携帯無線通信端末（携帯電話機）５００を提供できる。
また、通信方式を切り換える場合に、切り換え先の通信方式を迅速に決定できる携帯無線通信端末（携帯電話機）５００を提供できる。
【００４１】
また、携帯電話機５００は、ＧＰＳ衛星７００から受信した測位用信号に基づいて緯度経度データ（地域データ）を導出する地域データ出力手段５３０を備え、この地域データ出力手段５３０の導出した緯度経度データに基づいて、送受信機制御部５２０で選択する通信方式を切り替える。
【００４２】
したがって、選択している通信方式ではいずれの基地局からも信号を受信できない状態であっても、地域データ出力手段５３０は、ＧＰＳ衛星７００を利用してその時点での地域データを算出できる。すなわち、接続している通信網から信号を受信できない状態であっても、最適な通信網に切り換えることができる。
【００４３】
また、切換制御部５４０は、地域データ毎に、通信方式を示す通信方式データを、予め定めた優先度と共に複数対応させて記憶する記憶装置５４２、この地域データ出力手段５３０の導出した地域データに対応する通信方式データを記憶装置５４２から優先度に従って読み出す読出手段５４４を備え、この読出手段５４４で読み出された通信方式データによって、送受信機制御部５２０で用いる通信方式を切り換える。
【００４４】
したがって、通信可能状態から通信不能状態になった後、切り換え候補の通信網が多数存在しても、優先度にしたがって通信網に接続するため、迅速に通信可能状態に復元し易い携帯電話機５００を提供できる。
【００４５】
実施の形態２．
実施の形態２に係る通信システム及び携帯電話機の構成を図１０、図１１に基づいて説明する。図１０は実施の形態２に係る通信システムを示す構成図である。図１１は実施の形態２に係る携帯電話機の構成を示すブロック図である。
実施の形態２に係る携帯電話機５００ｂは、ホームエリア１００、ローミング先エリア２００、３００、４００、インターネットその他全ての通信網のいずれか１つまたは２以上の通信網から構成される広域ネットワーク８００を介して、サーバ９００と接続されている。このサーバ９００は、コンピュータ９１０とサーバ用記憶装置９２０とを備える。
【００４６】
携帯電話機５００ｂは、広域ネットワーク８００を介して、サーバ９００からデータをダウンロードし、記憶装置５４２に記憶されている所定データを、ダウンロードしたデータに書き換えるデータ更新部５７０を備える点で、実施の形態１に係る携帯電話機５００と異なる。データ更新部５７０は、サーバ９００からデータをダウンロードするダウンロード手段５７２、記憶装置５４２に記憶されている優先度データ、通信方式データ、通信事業者データまたは緯度経度データ（以下、「優先度データ等」という）を、ダウンロードしたデータに書き換えるテーブル書換手段（書換手段）５７４を備える。
【００４７】
以上の構成によれば、携帯電話機５００ｂのユーザは、記憶装置５４２に記憶されている優先度データ等を、使用する地域に応じた最適な優先度データ等に更新することができる。例えば、サーバ９００から独国についての優先度データ等を取得すれば、独国で携帯電話機５００ｂを使用する場合に、最新で、最適な地域データに基づいて通信方式を選択する携帯無線通信端末（携帯電話機）５００ｂを提供できる。
【００４８】
さらに、必要に応じてサーバ９００からデータを受信すれば良いので、記憶装置５４２に、使用する可能性がある地域のデータを全て記憶しておく必要がない。
【００４９】
また、サーバ９００から、１つの領域の大きさが小さくなるように、緯度経度データを取得すれば、より精密に、地域データに基づいて通信方式を選択する携帯無線通信端末（携帯電話機）５００ｂを提供できる。例えば、通信事業者Ｂの基地局から携帯電話機５００ｂに向けて飛来する電波が、障害物によって局部的に遮られる領域において、この領域で通信事業者Ｂの優先度を下げながら、その領域の周辺では通信事業者Ｂの優先度を下げないように設定することもできる。
【００５０】
また、例えば、ある領域とある通信事業者の基地局との間に新たに建物が建設されるような事象によっても、携帯電話機５００ｂの電界レベルが良好になる通信事業者の順位は変動する。したがって、最新の優先度データを取得すれば時々刻々と変化する優先度に対応することが可能であり、通信可能状態から通信不能状態になった後、迅速に通信可能状態に復元できる確率がより向上する。
【００５１】
また、サーバ用記憶装置９２０が、地域データ毎に、通信方式を示す通信方式データを予め定めた優先度と共に複数対応させて記憶するので、最小限の記憶容量で、広範囲において最適で、最新の地域データに基づいて通信方式を切り換えられる携帯電話機５００ｂを提供できる。
【００５２】
実施の形態３．
実施の形態３に係る携帯電話機を、図１２に基づいて説明する。
実施の形態３に係る携帯電話機５００ｃは、記憶装置５４３に、読出手段５４４が読出す対象とする領域（以下、「読出対象領域」という）５４３ａの他、図６に示すテーブルと同様のテーブルを複数備える（第１テーブル５４３ｂ、第２テーブル５４３ｃ…）。また、テーブル選択手段５９０は、複数のテーブルのうち入力キー５８０から出力された信号に応じて選択したものを読出対象領域５４３ａに書き込む。
【００５３】
以上の構成によれば、携帯電話機５００ｃは、ユーザの意思に応じて最適なテーブルを選択できる。すなわち、地域データに応じて通信方式を切り換える携帯電話機５００ｃを、ユーザの意思を反映させながら提供することができる。
【００５４】
具体例を図１３に基づいて説明する。図１３（ａ）は第１テーブル５４３ｂを示す。図１３（ｂ）は第２テーブル５４３ｃを示す。
図１３において、第１テーブル５４３ｂは、ローミンググループ１で、通信事業者Ｂ、通信方式１が優先度１に対応しており、通信事業者Ｄ、通信方式４が優先度２に対応している。この場合に、実際は、通信事業者Ｂ、通信方式１を選択した場合に予想される電界強度と、通信事業者Ｄ、通信方式４を選択した場合に予想される電界強度とが同程度であれば、第２テーブル５４３ｃのように、通信事業者Ｄ、通信方式４を優先度１に対応させ、通信事業者Ｂ、通信方式１を優先度２に対応させても良い。このように、テーブルの内容は、通信事業者Ｂを積極的に使用する第１テーブル５４３ｂや通信事業者Ｄを積極的に使用する第２テーブル５４３ｃを作成することが可能である。
【００５５】
以上のように第１テーブル５４３ｂ、第２テーブル５４３ｃ等を作成しておけば、そのテーブル内容に応じて、所定の通信事業者の通信網が比較的多く使用される携帯電話機５００ｃを実現できる。また、ユーザの入力に応じて、上記テーブルを選択できるように構成されているので、地域データに応じて通信方式を選択する携帯電話機５００ｃを、ユーザの意思を反映しながら、実現できる。
【００５６】
また、積極的に使用する通信事業者を選択できるようにテーブルを作成した例を説明したが、積極的に使用する通信方式を選択するようにテーブルを作成しても良い。
【００５７】
具体的には、ユーザがデータ通信を行う旨を入力キー５８０で入力した場合は断続的であっても高速通信が可能なテーブルを選択し、ユーザが電話として利用する旨を入力キー５８０で入力した場合は低速であっても連続して通信可能なテーブルを選択するように構成することによって、ユーザがデータ通信および電話のいずれを使用する場合であっても快適な携帯電話機を提供することができる。
【００５８】
実施の形態４．
実施の形態２では、携帯電話機内部に設けたダウンロード手段５７２及びテーブル書換手段５７４を用いて記憶装置５４２に記憶されているデータを最新の優先度データ等に更新することにしたが、携帯電話機５００の記憶装置５４２に記憶されている優先度データ等を、携帯電話機５００外部の記憶装置書き換え手段を用いて、ＣＤ−ＲＯＭ等の記憶装置に記憶されている優先度データ等に書き換えても、実施の形態２と同様の効果を得ることができる。
【００５９】
実施の形態５．
実施の形態１〜４に係る携帯電話機はＧＰＳ衛星７００から受信した信号に基づいて地域データを取得していたが、携帯電話機は、入力キーの入力信号によって、地域データを取得する構成にしても良い。具体例を挙げると、ユーザが入力キーによって携帯電話機に独国にいることを入力する。この入力に応じて、携帯電話機は独国に応じたローミングテーブルを予め選択する。その後、携帯電話機が選択している通信方式で接続できるいずれの基地局から受信した信号の電界レベルが不充分となった場合に、そのローミングテーブルに基づいて、優先度に従って通信方式の切り換えを実行する。
【００６０】
以上の構成によっても、第１通信方式を選択して接続する第１通信網から第２通信方式を選択して接続する第２通信網への切り換えを、上位コンピュータを利用せず、しかも、最低限の回数にできる携帯無線通信端末（携帯電話機）を提供できる。
また、通信方式を切り換える場合に、切り換え先の通信方式を迅速に決定できる携帯無線通信端末（携帯電話機）を提供できる。
【００６１】
実施の形態６．
実施の形態１〜４に係る携帯電話機はＧＰＳ衛星７００から受信した信号に基づいて地域データを取得していたが、携帯電話機は、基地局から送信する地域データを利用して地域データを算出しても、第１通信方式を選択して接続する第１通信網から第２通信方式を選択して接続する第２通信網への切り換えを、上位コンピュータを利用せず、しかも、最低限の回数にできる携帯無線通信端末（携帯電話機）を提供できる。
また、通信方式を切り換える場合に、切り換え先の通信方式を迅速に決定できる携帯無線通信端末（携帯電話機）を提供できる。
【００６２】
【発明の効果】
以上述べたように、この発明によれば、複数の通信方式で信号を送受信できる送受信機、上記複数の通信方式のうち、いずれかの通信方式を選択して、上記送受信機を制御する送受信機制御部、入力される地域データに基づいて、上記送受信機制御部で選択する通信方式を切り替える切換制御部を備えるものとしたので、
第１通信方式を選択して接続する第１通信網から第２通信方式を選択して接続する第２通信網への切り換えを、上位コンピュータを利用しなくても、最低限の回数にすることができる携帯無線通信端末を実現できる。
また、通信方式を切り換える場合に、切り換え先の通信方式を迅速に決定できる携帯無線通信端末を提供できる。
【００６３】
【図面の簡単な説明】
【図１】実施の形態１に係る通信システムの構成図である。
【図２】実施の形態１に係る携帯電話機が使用する通信事業者、通信方式を示す図である。
【図３】実施の形態１に係る携帯電話機にかかる構成図である。
【図４】ローミンググループの決定方法に関する説明図である。
【図５】ローミンググループの決定方法に関する説明図である。
【図６】記憶装置が記憶するテーブルを示す図である。
【図７】実施の形態１に係る携帯電話機の動作を示すフローチャート図である。
【図８】実施の形態１に係る携帯電話機の動作を示すフローチャート図である。
【図９】実施の形態１に係る形態電話機の効果を示す図である。
【図１０】実施の形態２に係る通信システムの構成図である。
【図１１】実施の形態２に係る携帯電話機の構成図である。
【図１２】実施の形態３に係る携帯電話機の構成図である。
【図１３】実施の形態３に係る携帯電話機で保持するテーブル例を示す図である。
【符号の説明】
５００、５００ｂ、５００ｃ：携帯電話機（携帯無線通信端末）、
５１０：送受信機、                ５２０：送受信機制御部、
５３０：地域データ出力手段、      ５４０：切換制御部、
５４２：記憶装置、                ５４４：読出手段、
５７２：ダウンロード手段、        ７００：ＧＰＳ衛星、
５７４：書換手段（テーブル書換手段）、
９００：サーバ、                  ９２０：サーバ用記憶装置。
【図１】
2005026735.tif 000003
【図２】
2005026735.tif 000004
【図３】
2005026735.tif 000005
【図４】
2005026735.tif 000006
【図５】
2005026735.tif 000007
【図６】
2005026735.tif 000008
【図７】
2005026735.tif 000009
【図８】
2005026735.tif 000010
【図９】
2005026735.tif 000011
【図１０】
2005026735.tif 000012
【図１１】
2005026735.tif 000013
【図１２】
2005026735.tif 000014
【図１３】
2005026735.tif 000015